(57)【要約】      （修正有）【課題】外部記録メディアが着脱可能に装着された携帯電話装置を他の情報処理装置の外部記録装置として使用可能な携帯電話装置を提供することを目的とする。【解決手段】携帯電話装置１に装着された外部記録メディア３に情報処理装置２がアクセス可能な携帯電話装置１であって、ユーザの操作入力に基づいて外部記録メディア３へのアクセス要求を出力するユーザ制御手段１０と、情報処理装置２の接続を検出するとともに、情報処理装置２からの制御信号に基づいて外部記録メディア３へのアクセス要求を出力する外部接続制御手段１６と、ユーザ制御手段１０及び外部接続制御手段１６からのアクセス要求に基づいて、外部記録メディア３のデータ入出力を行う外部記録メディア制御手段１５とを備え、ユーザ制御手段１０が、外部接続制御手段１６からの接続検出信号に基づいて、ユーザの操作入力を禁止する。【選択図】        図１
2004194227.tif 000002
【特許請求の範囲】
【請求項１】
外部記録メディアが着脱可能に装着されるとともに、情報処理装置が着脱可能に接続され、情報処理装置が外部記録メディアにアクセス可能な携帯電話装置において、
ユーザの操作入力に基づいて外部記録メディアへのアクセス要求を出力するユーザ制御手段と、
情報処理装置の接続を検出して接続検出信号を出力するとともに、情報処理装置からの制御信号に基づいて外部記録メディアへのアクセス要求を出力する外部接続制御手段と、
ユーザ制御手段及び外部接続制御手段からのアクセス要求に基づいて、外部記録メディアのデータ入出力を行う外部記録メディア制御手段とを備え、
ユーザ制御手段が、外部接続制御手段からの接続検出信号に基づいて、ユーザの操作入力を禁止することを特徴とする携帯電話装置。
【請求項２】
外部記録メディアに記録されたデータの属性情報を表示する表示装置を備え、
ユーザ制御手段が、情報処理装置により書き込まれたデータの属性情報を、ユーザの操作入力に基づいて表示装置へ出力することを特徴とする請求項１に記載の携帯電話装置。
【請求項３】
携帯電話装置に関するデータを記憶する内部メモリを備え、
上記ユーザ制御手段は、ユーザ操作に基づいて、内部メモリ内の携帯電話装置に関するデータを外部記録メディアへ保存するとともに、保存された携帯電話装置に関するデータを内部メモリへ呼び出すことを特徴とする請求項１に記載の携帯電話装置。
【請求項４】
情報処理装置における携帯電話装置とは無関係のデータを外部記録メディアに記録することを特徴とする請求項１に記載の携帯電話装置。
【請求項５】
上記外部記録メディアが、不揮発性の半導体メモリからなることを特徴とする請求項１に記載の携帯電話装置。
【発明の詳細な説明】
【０００１】
【発明の属する技術分野】
本発明は、携帯電話装置に係り、さらに詳しくは、外部記録メディアが着脱可能に装着され、外部記録メディアに無線通信による通信情報を記録可能な携帯電話装置に関する。
【０００２】
【従来の技術】
従来の無線通信装置（例えば特許文献１参照）は、複数の設定データが記憶された記憶手段と、当該記憶手段から読み出された前記設定データに基づいて動作する制御手段を有した無線通信装置本体とを備えた無線通信装置である。そして、前記記憶手段は、前記無線通信装置に対して着脱自在に装着される。また、外部機器から前記制御手段を介し前記記憶手段に対して前記設定データの読み出し又は書き込みを行う。
【０００３】
この無線通信装置においては、外部機器から前記記憶手段に対して前記設定データの読み出し又は書き込みを行うため、操作性に優れた外部機器を用いることにより、設定データの読み出し又は書き込みを簡単に行うことが可能になり、使い勝手を向上させることができる。
【０００４】
設定データとしては、ＩＤコードのデータ、メモリダイヤル登録された通話先の電話番号，短縮番号，登録名のデータ、着信音の鳴音パターンの設定やキー操作の際に鳴音するキー操作確認音の設定などの各種設定データなどがある。
【０００５】
そして、外部機器にて設定データのバックアップをとったり、外部機器を介して別々の無線通信装置間で設定データの受け渡し及びやり取りを行うことも可能であり、外部機器にて編集した設定データを無線通信装置に転送して再び記憶手段に書き込むこともできる。
【０００６】
【特許文献１】
特開平１１−１８７０９３号公報
【０００７】
【発明が解決しようとする課題】
この様に、従来の携帯電話装置には、着脱可能に外部記録メディアを装着するとともに、外部記録メディアへの書き込み機能（ライタ機能）及び読み出し機能（リーダ機能）を備えているものがあった。また、携帯電話装置のリーダ・ライタ機能を利用して、パソコンなどの外部情報処理装置から、外部記録メディアの読み出し及び書き込みを行うことが可能であった。
【０００８】
一般に、外部記録メディアの読み出し及び書き込みには、専用のリーダ及びライタが必要となるが、特許文献１の携帯電話装置の場合、専用のリーダ及びライタを使用することなく、外部情報処理装置から、外部記録メディアの読み出し及び書き込みを行うことができる。
【０００９】
しかしながら、従来の携帯電話装置の外部記録メディアは、電話帳等の個人データ、音楽データ、画像データなどの携帯電話装置に関する設定データを記録するためのものであり、外部情報処理装置は、これらの設定データのバックアップやエディットを行うためのものであった。この場合、携帯電話装置の外部記録メディアは、外部情報処理装置で使用されるデータ、すなわち、携帯電話装置に無関係なデータを記録するためのものではなく、携帯電話装置と外部情報処理装置とが、携帯電話装置に装着された外部記録メディアを共有して使用することはできないという問題があった。
【００１０】
パソコン等で作成されたデータを携帯しようとする場合、記録媒体としてフレキシブルディスクを用いるのが一般的であるが、パーソナルコンピュータの高速化、大容量化が進むに伴って、データ容量も増大し、フレキシブルディスクでは容量不足となることが少なくない。このため、より大容量の外部記録メディア、特に半導体メモリを利用した小型の外部記録メディアが利用されることもある。ところが、これらの外部記録メディアはデータの読み出し及び書き込みには専用のリーダ及びライタが必要となるが、リーダ及びライタは携帯性に優れておらず不便であった。
【００１１】
本発明は、上記の事情に鑑みてなされたものであり、外部記録メディアが着脱可能に装着された携帯電話装置を他の情報処理装置の外部記録装置として使用可能な携帯電話装置を提供することを目的とする。
【００１２】
【課題を解決するための手段】
本発明による携帯電話装置は、外部記録メディアが着脱可能に装着されるとともに、情報処理装置が着脱可能に接続され、情報処理装置が外部記録メディアにアクセス可能な携帯電話装置であって、ユーザの操作入力に基づいて外部記録メディアへのアクセス要求を出力するユーザ制御手段と、情報処理装置の接続を検出して接続検出信号を出力するとともに、情報処理装置からの制御信号に基づいて外部記録メディアへのアクセス要求を出力する外部接続制御手段と、ユーザ制御手段及び外部接続制御手段からのアクセス要求に基づいて、外部記録メディアのデータ入出力を行う外部記録メディア制御手段とを備え、ユーザ制御手段が、外部接続制御手段の出力に基づいて、ユーザの操作入力を禁止するように構成される。
【００１３】
この様な構成により、情報処理装置が、携帯電話装置とは無関係のデータを携帯電話装置の外部記録メディアに書き込み、あるいは読み出すことができる。また、携帯電話装置において情報処理装置の接続を検出し、情報処理装置の接続中は、携帯電話装置におけるユーザ操作による外部記録メモリへのアクセスを禁止することにより、外部記録メディアに対する、携帯電話装置からのアクセスと情報処理装置からのアクセスの衝突を回避することができる。
【００１４】
【発明の実施の形態】
実施の形態１．
図１は、本発明による携帯電話装置の一構成例を示したブロック図であり、外部記録メディア３が装着された携帯電話装置１と、情報処理装置２が示されている。
【００１５】
携帯電話装置１は、ＰＤＣ、ＧＳＭ、ＣＤＭＡ、Ｗ−ＣＤＭＡ、ＰＨＳなどの通信方式を採用した携帯可能なセルラー無線通信端末であり、音声通話、電子メールの送受信、デジタルカメラ撮影などの機能を有している。情報処理装置２は、マイクロプロセッサを備えた外部機器、例えばパーソナルコンピュータであり、ＵＳＢ（Universal Serial Bus）ケーブル等の通信線を介して、携帯電話装置１に着脱可能に有線接続される。
【００１６】
外部記録メディア３は、携帯電話装置に着脱可能に装着される記録媒体であり、例えばメモリスティック、ＳＤメモリカード、スマートメディア（登録商標）などの不揮発性半導体メモリからなる。また、携帯電話装置１への装着時には、携帯電話装置１の筐体内に内蔵される。
【００１７】
携帯電話装置１は、マイクロプロセッサ（ＣＰＵ）１０、表示部１１、キー入力部１２、無線制御部１３、内部メモリ１４、外部記録メディア制御部１５及びＵＳＢ制御部１６により構成される。また、外部記録メディア３の接続端子１７及びＵＳＢ接続端子１８を有している。
【００１８】
ＣＰＵ１０は、携帯電話装置１の各ブロック１１〜１６を制御する制御手段である。表示部１１は、ユーザに対し画面表示を行う表示装置、例えばＬＣＤ（Liquid Crystal Display）であり、ＣＰＵ１０が表示制御を行っている。キー入力部１２は、ユーザの操作入力手段であり、テンキー、ファンクションキーなどからなる。ユーザがキー操作を行うと、操作入力信号がＣＰＵ１０へ出力される。
【００１９】
無線制御部１３は、図示しない基地局との間で電波の送受信を行って、通話、電子メールの送受信、インターネット接続、ｉ−ｍｏｄｅ（登録商標）接続などを行っている。内部メモリ１４は、携帯電話装置１の各種データを記憶保持する記憶手段であり、携帯電話装置１に関するデータが記憶保持されている。例えば、通話や電子メールの送受信に用いられる電話帳データ、ダウンロードした音楽データや画像データ、デジタルカメラで撮影した画像データなどが記憶されている。
【００２０】
外部記録メディア制御部１５は、接続端子１７を介して、外部記録メディア３へのデータ書き込み、外部記録メディア３からのデータ読み出しを制御している。このデータ入出力は、ＣＰＵ１０及びＵＳＢ制御部１６からのアクセス要求に基づいて行われる。外部記録メディア制御部１５は、図示しないＤＳＰ及びバッファメモリを内蔵し、ＤＳＰがアクセス要求に基づいて起動され、外部記録メディア３へのデータ書き込み及びデータ読み出しは、バッファメモリを介してＤＳＰにより実行される。
【００２１】
ＵＳＢ制御部１６は、ＵＳＢケーブル４を介して情報処理装置２との通信制御を行っている。このＵＳＢ制御部１６は、ＵＳＢ接続端子１８に情報処理装置２が接続されると、接続検出信号をＣＰＵ１０へ出力する。ＣＰＵ１０は、この検出信号に基づいて、情報処理装置２が接続されたことを認識する。また、情報処理装置２から外部記録メディア３に対するデータ書き込み、データ読み出しの制御信号を受信すると、外部記録メディア制御部１５へアクセス要求を出力する。
【００２２】
情報処理装置２は、ＣＰＵ２０、メモリ２１、ハードディスク２２、入力部２３及びＵＳＢ制御部２４により構成される。また、この情報処理装置２は、表示装置５が接続されるとともに、ＵＳＢ接続端子２５を有している。
【００２３】
ＣＰＵ２０は、情報処理装置２の各ブロック２１〜２４を制御する制御手段である。メモリ２１及びハードディスク２２は、情報処理装置２内のデータ記憶装置の一例である。入力部２３は、情報処理装置のオペレータが操作入力を行うキーボード、マウスなどの入力手段であり、オペレータがこれらの入力手段を操作すると、操作入力信号がＣＰＵ２０へ出力される。
【００２４】
ＵＳＢ制御部２４は、ＵＳＢケーブル４を介して携帯電話装置１との通信制御を行っている。このＵＳＢ制御部２４は、外部記録メディア３の装着された携帯電話装置１がＵＳＢ端子２５を介して接続されると、接続検出信号をＣＰＵ２０へ出力する。この検出信号に基づいて、ＣＰＵ２０は、外部記録デバイス（ここでは外部記録メディア３が装着された携帯電話装置１）が接続されたことを認識し、予め与えられているドライバ・ソフトウエアを起動させる。ドライバの起動により、ＣＰＵ２０から外部記録メディア３へのアクセスが可能となり、携帯電話装置１を外部記録デバイスとして使用することができる。
【００２５】
外部記録メディア３は、外部記録メディア制御部１５を介して、携帯電話装置１のＣＰＵ１０によりデータ書き込み及びデータ読み出しを行うことができ、また、情報処理装置２のＣＰＵ２０によりデータ書き込み及びデータ読み出しを行うことができる。
【００２６】
携帯電話装置１は、外部記録メディア３を内部メモリ１４のデータ保存のために使用している。すなわち、電話帳データ、音楽データ、画像データなどの携帯電話装置に関する各種のデータを外部記録メディア３に保存することができる。例えば、内部メモリ１４のデータを外部記録メディア３にバックアップしておき、内部メモリ１４のデータが誤って失われた場合、バックアップデータを外部記録メディア３から読み出して内部メモリ１４を復元する。外部記録メディア３は交換可能であるため、比較的容量の大きな音楽データ、画像データなどを内部メモリ１４から外部記録メディア３へ退避させ、必要に応じて退避データが読み出される。
【００２７】
内部メモリ１４のデータ保存と、保存データの外部記録メディア３からの読み出しは、ユーザによる操作入力によって指示される。すなわち、ユーザがテンキー等を操作すると、キー入力部１２からＣＰＵ１０へ操作入力信号が出力され、ＣＰＵ１０が外部記録メディア制御部１５へアクセス要求を出力する。外部記録メディア制御部１５は、このアクセス要求に基づいて、内部メモリ１４から外部記録メディア３へ、あるいは、外部記録メディア３から内部メモリ１４へデータ転送を行う。
【００２８】
一方、情報処理装置２は、外部記録メディア３をメモリ２１及びハードディスク２２のデータ保存のために使用している。すなわち、携帯電話装置１とは無関係のデータを外部記録メディア３に保存している。例えば、これらのデータのバックアップを行う場合や、これらのデータを携帯して移動したい場合に外部記録メディア３へのデータ書き込みが行われる。書き込まれたデータは、データ復元時に読み出され、あるいは移動先で接続された他の情報処理装置２によって読み出される。
【００２９】
情報処理装置２が外部記録メディア３のデータ書き込み、データ読み出しを行う場合、情報処理装置２に接続された表示装置５に、外部記録メディア３内のデータの属性情報が表示される。情報処理装置２のオペレータは、この表示を見て入力部２３からアクセス指示の操作入力を行う。
【００３０】
情報処理装置２から外部記録メディア３へのデータ書き込み及びデータ読み出しは、情報処理装置２の入力部２３により指示される。すなわち、オペレータがキーボード等を操作すると、入力部２３からＣＰＵ２０へ操作入力信号が出力され、ＣＰＵ２０が、アクセス制御信号を出力する。
【００３１】
このアクセス制御信号は、ＵＳＢ制御部２４及びＵＳＢケーブル４を介して、ＵＳＢ制御部１６に入力され、ＵＳＢ制御部１６から外部記録メディア制御部１５へアクセス要求が出力される。外部記録メディア制御部１５は、このアクセス要求に基づいて、情報処理装置２から外部記録メディア３へ、あるいは、外部記録メディア３から情報処理装置２へデータ転送を行う。
【００３２】
図２のステップＳ１０１〜Ｓ１０６は、図１の携帯電話装置１の動作の一例を示したフローチャートである。初期状態において、携帯電話装置１には外部記録メディア３が装着されているが、情報処理装置２は接続されていないものとする。
【００３３】
この状態で、ユーザが携帯電話装置１のキー入力部１２を操作し、外部記録メディア３へのアクセスを指示すれば、ＣＰＵ１０から外部記録メディア制御部１５へアクセス要求が出力され、外部記録メディア３へのデータ書き込み、データ読み出しが行われる（ステップＳ１０１）。情報処理装置２が携帯電話装置１に接続されるまで、この様な外部記録メディア３へのアクセスを携帯電話装置１のキー入力部１２から指示することができる（ステップＳ１０２）。
【００３４】
次に、ＵＳＢケーブル４を用いて、携帯電話装置１のＵＳＢ接続端子１８と、情報処理装置２のＵＳＢ端子２５を接続すると、それぞれのＵＳＢ制御部１６，２４からＣＰＵ１０，２０へ接続検出信号がそれぞれ出力される。
【００３５】
ＣＰＵ１０は、接続検出信号が入力されると、キー入力部１２の操作入力による外部記録メディア３へのアクセスを禁止する（ステップＳ１０３）。すなわち、キー入力部１２から外部記録メディア３へのアクセスを指示する操作入力信号が出力されても、アクセス要求を出力しない。このとき、接続検出信号に基づいて、外部記録メディア３へのアクセス禁止をＣＰＵ１０が表示部１１に表示することが望ましい。
【００３６】
一方、ＣＰＵ２０は、接続検出信号が入力されると、外部記録メディア３へのアクセスが可能となる（ステップＳ１０４）。すなわち、ＣＰＵ２０は、ドライバ・ソフトウエアを起動し、入力部２３から外部記録メディア３へのアクセスを指示する操作入力信号が出力されると、アクセス制御信号を出力する。このアクセス制御信号に基づいて、携帯電話装置１のＵＳＢ制御部１６が、外部記録メディア制御部１５へアクセス要求を出力する。
【００３７】
このアクセス要求に基づいて、外部記録メディア制御部１５が、ＣＰＵ２０から外部記録メディア３へのデータ書き込み、データ読み出しを行う。すなわち、データ書き込みの場合であれば、情報処理装置２のメモリ２１及びハードディスク２２内のデータが、ＵＳＢ制御部２４，１６を介して転送され、外部記録メディア３へ書き込まれる。データ読み出しの場合であれば、外部記録メディア３から読み出されたデータが、ＵＳＢ制御部２４，１６を介して、情報処理装置２のメモリ２１及びハードディスク２２へ転送される。いずれの場合にも、携帯電話装置１の操作による外部記録メディア３へのアクセスは禁止されており、ＣＰＵ１０による外部記録メディア制御部１５への割り込みは行われない。
【００３８】
その後、情報処理装置２を携帯電話装置１から切り離し、非接続の状態になると、それぞれのＵＳＢ制御部１６，２４からＣＰＵ１０，２０へ接続検出信号が出力されなくなる（ステップＳ１０５）。
【００３９】
ＣＰＵ１０は、接続検出信号が入力されなくなると、外部記録メディア３へのアクセス禁止を解除する（ステップＳ１０６）。すなわち、ステップＳ１０１の状態に戻り、キー入力部１２を操作して、外部記録メディア３へのアクセス指示を行うことができる。
【００４０】
以上で説明したように、この携帯電話装置１では、携帯電話装置１のＵＳＢ制御部１６が、情報処理装置２の接続を検出して検出信号を出力し、この検出信号に基づいて、ＣＰＵ１０が携帯電話装置１内からの外部記録メディア３へのアクセスを禁止している。このため、情報処理装置２を携帯電話装置１に接続すれば、携帯電話装置１に装着された外部記録メディア３を情報処理装置２の外部記録装置として使用することができる。
【００４１】
外部記録メディア３を携帯電話装置１から取り外して携帯することもできるが、小型軽量の携帯電話装置は、携帯性に優れた外部記録メディア３のリーダ、ライタでもあるため、携帯電話装置１とともに携帯することができる。この場合、リーダ及びライタを有しない情報処理装置２においても、外部記録メディア３を使用することができる。
【００４２】
次に、携帯電話装置１により外部記録メディア３のデータ管理を行う場合について説明する。携帯電話装置１は、情報処理装置２が接続されていない状態で、外部記録メディア３に保存されたデータの管理を行うことができる。
【００４３】
ユーザによるキー入力部１２からの操作入力により、ＣＰＵ１０は、外部記録メディア３に保存されたデータの属性情報を読み出し、表示部１１に表示させる。例えば、保存されている電子ファイルの名称、ファイルサイズ、作成日等を表示させる。従って、情報処理装置２が接続されていなくても、ユーザは外部記録メディア３内に保存されたデータの属性情報を閲覧し、確認することができる。
【００４４】
また、キー入力部１２からの操作入力により、ＣＰＵ１０は、外部記録メディア３に保存された電子ファイルの削除、名称変更、複製などを行えば、情報処理装置２が接続されていなくても、ユーザは外部記録メディア３のデータ管理を行うことができる。
【００４５】
この様に、外部記録メディア３が装着された携帯電話装置１を情報処理装置２の外部記録装置として使用するとともに、携帯電話装置１の表示部１１及びキー入力部１２を利用すれば、情報処理装置２に接続しなくても、データ管理を行うことができる。例えば、外部記録メディア３を携帯電話装置１に装着して携帯している場合に、データ管理を行うことが可能となる。
【００４６】
なお、上記実施の形態では、携帯電話装置１と情報処理装置２とをＵＳＢケーブル４により接続する場合の例について説明したが、本発明はこのような場合に限定されない。例えば、シリアル伝送用ケーブルや、その他の専用ケーブルであってもよいし、電波または光を通信媒体とする無線通信による接続であってもよい。
【００４７】
また、上記実施の形態では、外部記録メディア３が半導体メモリからなる場合について説明したが、書き換え可能で不揮発な記憶媒体であれば、他の記憶媒体を用いてもよい。例えば、磁気テープ、磁気ディスクなどの磁気的記録媒体であってもよいし、光ディスクなどの光学的記憶媒体であってもよい。
【００４８】
さらに、上記実施の形態では、外部記録メディアが着脱自在に携帯電話装置に装着されている場合の例について説明したが、書き換え可能で不揮発な記憶媒体であれば、取り外しできない記録媒体であってもよい。
【００４９】
【発明の効果】
本発明によれば、外部接続制御手段が、情報処理装置からの制御信号に基づいて外部記録メディアへのアクセス要求を出力する一方、ユーザ制御手段が、ユーザの操作入力に基づいて外部記録メディアへのアクセス要求を出力している。そして、外部接続制御手段が、情報処理装置の接続を検出して接続検出信号を出力し、ユーザ制御手段が、外部接続制御手段の出力に基づいてユーザの操作入力を禁止している。
【００５０】
このため、携帯電話装置に装着された外部記録メディアを、携帯電話装置と、携帯電話装置に接続された情報処理装置とで共有することができ、携帯電話装置に無関係のデータを情報処理装置から外部記録メディアへ保存することができる。
【図面の簡単な説明】
【図１】本発明による携帯電話装置の一構成例を示したブロック図である。
【図２】図１の携帯電話装置１の動作の一例を示したフローチャートである。
【符号の説明】
１  携帯電話装置、２  情報処理装置、３  外部記録メディア、
４  ＵＳＢケーブル、５  表示装置、１０  ＣＰＵ（ユーザ制御手段）、
１１  表示部、１２  キー入力部、１４  内部メモリ、
１５  外部記録メディア制御部、１６  ＵＳＢ制御部（外部接続制御手段）、
１８  ＵＳＢ接続端子
【図１】
2004194227.tif 000003
【図２】
2004194227.tif 000004